(57)【要約】      （修正有）【課題】コンテナ等に積載した荷物の間に生じる隙間の広さに応じて、その厚さを変化させて使用することができるスペーサーを提供する。【解決手段】自立性と衝撃を緩衝することができる弾性を持った発泡性材料で形成されるもので、角形の板状に形成したスペーサー本体２と、スペーサー本体２の対向する両辺４より延設されるスペーサーの厚みを調節するための複数の調整片３を有している。この調整片３の幅８はスペーサー本体の上記両辺４と同じで、その厚さ９と長さ１０は上記スペーサー本体の厚さ６と同じにしている。この複数の調整片３は上記スペーサー本体２の一面側の延長上において連結１２されている。この輸送・梱包用スペーサー１の調整片３の折り畳み方法を変更することにより、荷物と荷物の間に生じる隙間の広さに対応してその隙間を埋めることができる。【選択図】図４
2015101356.tif 000002
【特許請求の範囲】
【請求項１】
自立性と弾性を有する発泡性材料で形成され、角形で板状のスペーサー本体と、該スペーサー本体の対向する両辺より延設されるスペーサーの厚みを調節する複数の調整片を有し、該調整片の幅は上記スペーサー本体の対向辺と同じ長さであり、その厚さと長さは上記スペーサー本体の厚さと同じに形成されており、上記複数の調整片は上記スペーサー本体とその一面側の延長上で連結されている輸送・梱包用スペーサー。
【請求項２】
上記スペーサー本体の対向する両辺部の側面及び調整片の側面には、隣接する調整片と接合して板状に固定できるような面ファスナーを設けている請求項１に記載の輸送・梱包用スペーサー。
【請求項３】
上記複数の調整片の長さの合計が、スペーサー本体の長さと同じに形成されている請求項１または２に記載の輸送・梱包用スペーサー。
【請求項４】
上記各調整片は布袋に収納されて、その一面側で連結されている請求項１〜３のいずれかに記載の輸送・梱包用スペーサー。
【請求項５】
上記スペーサー本体及び調整片は、低発泡のポリエチレン樹脂で形成されている請求項１〜４のいずれかに記載の輸送・梱包用スペーサー。
【発明の詳細な説明】
【技術分野】
【０００１】
本発明は、荷物の輸送時に生じる荷崩れを防止するために荷物と荷物の間に生じている隙間を埋めたり、荷物を輸送するために梱包する際に生じる隙間を埋めたりするためのスペーサーに関するものである。
【背景技術】
【０００２】
現在、コンテナやトラックの荷台室に積まれて運ばれる荷物の多くは、パレットの上に載せられた状態で輸送されているが、通常、パレットの大きさと同じ外径となるように荷物を載せることは荷物の出し入れに不都合を生じたり、荷物を傷つけることがあることから、パレットの周縁部が少し余るような状態となるように荷物を載せている。こうした荷物を載せたパレットをコンテナやトラックの荷物室に積込んで行くと、パレットに載った荷物と隣接するパレットに載った荷物との間、荷物とコンテナなどの内壁の間に隙間ができ、こうした状態のままで輸送すると、輸送中に荷崩れを起こして品物を傷つけてしまうことが起こる。
【０００３】
こうしたことから、従来、荷物と荷物の間などに生じた隙間に発泡スチロール製の厚板を、隙間の大きさに応じて１枚とか、数枚とかを押し込むようにしており、また、冷蔵や冷凍品の輸送の場合には、厚板の表面に冷気が行き渡るように凹設した冷気通路を形成して、冷却を効率的に行おうとするものが知られている（特許文献１）。
また、ダンボール紙に区分線を介して同じ大きさの区分板を設け、これを蛇腹状に折り畳んで緩衝材とするもので、上記区分線を切り離すことによって積層状の緩衝材の厚みを調整するようにしたものも知られているが、一度きりの使い切りとなってしまい無駄が多い（特許文献２）。
【先行技術文献】
【特許文献】
【０００４】
【特許文献１】実用新案登録第３０２０３６３号公報
【特許文献２】特開２００３−１１８７７５号公報
【発明の概要】
【発明が解決しようとする課題】
【０００５】
本発明は、コンテナ等に積載したときに荷物と荷物の間などに生じる隙間の広さに対応して、その隙間を埋めるために種々の厚さに変形させて使用することができ、また、反復して使用することができるスペーサーを得ようとするものである。
【課題を解決するための手段】
【０００６】
本発明は、自立性と衝撃を緩衝することができる弾性を持った発泡性材料で形成されるもので、角形の板状に形成したスペーサー本体と、該スペーサー本体の対向する両辺より延設されるスペーサーの厚みを調節するための複数の調整片を有している。この調整片の幅はスペーサー本体の上記対向する辺と同じであり、その厚さと長さは上記スペーサー本体が有する厚さと同じ大きさに形成している。こうした複数の調整片は上記スペーサー本体の一面側の延長上にあって同じ面に位置する一面側だけで連結されている。この輸送・梱包用スペーサーの調整片は、その折り畳み方法を変更することによって、荷物と荷物の間などに生じる隙間の広さに対応してその隙間を埋めることができる。
【０００７】
また、上記スペーサー本体の対向する両辺部の側面及び調整片の側面には、隣接する調整片との接合状態を維持して、板状となった状態に固定しておくことができるようなループ体とフック体で構成される面ファスナーなどの固定具を設けている。
上記複数の調整片の長さの合計を、スペーサー本体の長さと同じに形成すると、使い勝手が良く、収納、使用に便利である。
【発明の効果】
【０００８】
本発明は上記の如く構成されているので、複数設けられている調整片の折り畳み状態を変えることによって、スペーサーによって形成される厚みを変更することができるから、パレットに置かれてコンテナ等に積まれた荷物との間に生じている隙間に広狭の違いがあってもこれに充分に対応することができ、種々の場面で広く用いることができる。
【図面の簡単な説明】
【０００９】
【図１】本発明の実施例を示す正面図である。
【図２】図１に示すものの側面図である。
【図３】図２の一部を拡大して示す断面図である。
【図４】図１に示すものの変形状態を示す一部省略拡大斜視図である。
【図５】図１に示すものの調整片を折畳んだ状態を示す説明図である。
【図６】図５に示す状態のスペーサーの使用状況を示す説明図である。
【図７】図１に示すものの各種の使用状態を示す説明図である。
【図８】図７の（Ｈ）に示す広幅状態のスペーサーの使用状況を示す説明図である。
【発明を実施するための形態】
【００１０】
輸送・梱包用スペーサー１のスペーサー本体２と下記調整片３は、自立性があって衝撃を吸収することができるような弾性を有する合成樹脂などの発泡性材料で形成されるもので、例えば、低発泡状態のポリエチレン樹脂、ポリプロピレン樹脂、その他の合成樹脂によって形成すると好ましい。
上記スペーサー本体２は、適宜の大きさを有する正方形や長方形などの角形で、通例、３〜８ｃｍ程度の厚味を有する板状に形成されており、その対向する両辺４から外方に延びるように複数の調整片３を設けている。図示のものでは、スペーサー本体２の厚味を約５ｃｍに形成している。
【００１１】
上記図示の調整片３の幅８は、スペーサー本体１の幅５と同じ寸法に形成されており、調整片の厚さ９と長さ１０は、スペーサー本体１の厚さ６と同じ寸法とされていて、角柱状になっている。
この調整片３は、スペーサー本体２の一面の延長上に位置するようにして、一面側だけで複数個が連結部１２で連結されており、この複数の調整片３は連結部１２で折り曲げ、折り畳みができるようになっている。
【００１２】
上記調整片３は、強力な粘着テープによってスペーサー本体２の一面の延長上に沿うようにして一面側だけを連結することができるが、図示するものでは、丈夫な各種布状物１３やシートによって袋体１４を形成し、この袋体１４内にスペーサー本体２や調整片３を各々封入して全体を連結するようにしている。こうした図示するものでは、各調整片３の折り畳みも容易であり、耐久性もあって長期間に亘って安定的に使用することができる。（図３，４）
【００１３】
上記スペーサー本体２の両辺４部分の側面１６及び各調整片３の各側面１７には、ループ体とフック体を有する面ファスナー１８などの固着具を設けようにするとよく、この面ファスナー１８を接合すると、複数の調整片３を板状に維持することができる。また、面ファスナー１８を外すとその外した部分で調整片を折り曲げたり、折り畳んだりすることができるようになる。（図３，４）
上記面ファスナー１８は、図示するようにスペーサー本体２の側面１６や調整片３の側面１７に、適宜の間隔を置いて複数個設けるようにしたり、また、連続する１個のものを設けるようにすることができる。
【００１４】
上記調整片３は、必要に応じて適宜の個数を設けることができ、また、通常スペーサー本体２の両辺４から各々同じ個数を設けるようにすると良いが、場合に応じて両辺４から設ける個数を違ったものとすることもできる。
図１に示すものでは、スペーサー本体２の両辺４から、各々１０個の調整片３を連結状態に形成しているものであり、上記複数の調整片３をスペーサー本体の両辺４部分で各々折り曲げるようにすると、丁度スペーサー本体２の板状部分の長さと同じになって重なり合うように形成している（図５）。
【００１５】
上記調整片３を設ける数が少ない場合には、調整片３がスペーサー本体２の板状部分の一部分で重なり合うようになるし、調整片３の数が多い場合には調整片を途中で折り曲げるようにすれば、スペーサー本体２の板状部分の上に重なり合うようになるので、こうした状態のものにすることもできる。
【００１６】
このような輸送・梱包用スペーサー１は、図１，２に示すようにスペーサー本体２と調整片３を一平面状に並べたものでは、スペーサー本体２の厚味に相応するような荷物と荷物の間や荷物とコンテナの壁面との間などに生じた狭い間隔を埋める場合に、有効に使用することができる。そして上記面ファスナー１８を備えたものでは、これによって全体が板状となった状態を確実に維持することができるようになる。
【００１７】
図６に示すものは、上記図５に示すように複数の調整片３をスペーサー本体の両辺４部分で各々折り曲げて重なり合うようにしたものを、２つ使用してパレット２０の上に載せた荷物２１の間に生じる間隔２２を埋めるようにしたもので、上記した図２に示すものの２倍の広さの隙間に対応できるようになる。
また、このものでは、上記折り畳んだ２つのスペーサー１、１は、一方のスペーサー本体２の端辺の側面１６にある面ファスナー１８と、隣接する他方の調整片の側面１７にある面ファスナー１８とは接合し合って、２つのスペーサー１、１の連結状態が形成されて一体性が向上するようになる。
【００１８】
上記複数の調整片３は、その折り曲げや折り畳み方法を変えることによって、荷物と荷物の間などに生じる種々の広さの隙間に対応できるようになる。
図７にはその折り曲げや折り畳み方法を変化させることによって、種々の広さの隙間に対応できるようにしたものを例示している。
【００１９】
図７（Ａ）のものは、上記したものの２倍の隙間に対応できるようした他の例であって、スペーサー本体２の端部の一方に位置する調整片３１の５個を折り畳み、他方の調整片３２は折り畳んでいないもので、こうした２つのスペーサー２４，２５を互いに対称となるように配置して抱き合わせるようにしたものである。
【００２０】
図７（Ｂ）に示すものは、上記の３倍の隙間に対応できるようしたものの１例であって、上記７（Ａ）と同様にスペーサー本体２の端部の一方に位置する調整片３１の５個を折り畳んだ２つのスペーサー２４，２５を用意する。そして、一方のスペーサー２４の折り畳んだ調整片３１の部分を、他方のスペーサー２５の折り畳まれていない調整片３２の上に重ねるように配置したものである。このものでは両スペーサー２４，２５の間の中央部に空間２６が生じるが、両端部分では調整片３１，３２が重なり合って空間が生じないので、隙間を埋めて充分に保持することができる。
【００２１】
図７（Ｃ）のものは、上記の４倍の隙間に対応できるようしたものの１例であって、端部の一方に位置する調整片３３の９個を２度折り返すように折り畳み、他方の調整片３４は折り畳まない２つのスペーサー２７，２８を用意する。一方のスペーサー２７の折り畳んだ調整片３３の部分を、他方のスペーサー２８の折り畳まれていない調整片３４の上に重ねるように配置したものである。
【００２２】
図７（Ｄ）には、上記の４倍の隙間に対応できるようしたものの他例であって、上記図７（Ｃ）と同様に端部の一方に位置する調整片３５の９個を２度折り返すように折り畳み、更に他方に位置する調整片３６も同様に折り畳んだ２つのスペーサー２９，３０を用意する。一方のスペーサー２９の折り畳んだ調整片３５の部分を、他方のスペーサー３０の折り畳まれている調整片３６と重ね合わないように位置をずらして配置したものである。このものでは、２つのスペーサー２９，３０の間にできる空間を短くすることができて便利な場合がある。
【００２３】
図７（Ｅ）に示すものは、上記のものの５倍の隙間に対応できるようしたものの一例であって、端部の一方に位置する調整片５１の６つを内側に２度折り返すように折り畳み、他端の調整片５２も同様に内側に２度折り返すように折り畳みんだ２つのスペーサー４０，４１を用意し、一方のスペーサー４０の折り畳んだ調整片５１の部分を、他方のスペーサー４１の折り畳んだ調整片５２と位置をずらして嵌め合わせるようにして重ねて配置したものである。
【００２４】
また、図７（Ｆ）のものは、上記のものの６倍の広さの隙間に対応できるようしたものの１例であって、上記図７（Ｄ）と同様に端部の一方に位置する調整片３５の９個を２度内側に折り返すように折り畳み、他端の調整片３６も同様に折り畳んだ２つのスペーサー２９，３０を用意する。こうした一方のスペーサー２９の折り畳んだ調整片３５の部分を、他方のスペーサー３０の折り畳んだ調整片３６の上に重ねるように配置したものである。
【００２５】
図７（Ｇ）に示すものは、上記のものの７倍の隙間に対応できるようしたものの１例であって、一端部に位置する１０個の調整片５３を５つずつ２度内側に折り返すように折り畳み、他端部でも同様に調整片５４折り畳んだ２つのスペーサー４２，４３を用意する。一方のスペーサー４２の折り畳んだ調整片５３の部分を、他方のスペーサー４３の折り畳んだ調整片５４と位置をずらして互いに嵌め合わせるようにして重ねて配置したものである。
【００２６】
また、図７（Ｈ）のものは、上記のものの８倍の隙間に対応できるようしたものの１例であって、端部の一方に位置する調整片５５の９個を２個、２個、３個、２個と順次内側に折り込むように折り畳み、他端側の調整片５６も同様に折り畳んだ２つのスペーサー４４，４５を用意し、一方のスペーサー４４の折り畳んだ調整片５５の部分を、他方のスペーサー４５の同様に折り畳まれた調整片５６の上に重ねるように配置したものである。
図８には、この図７（Ｈ）に示すものを使用し、これを上方に２セット配置するようにして、比較的に大きな隙間を埋めるようにすることができる。
【符号の説明】
【００２７】
１    輸送・梱包用スペーサー
２    スペーサー本体
３    調整片
４    スペーサー本体の両辺
５    スペーサー本体の幅
６    スペーサー本体の厚さ
８    調整片の幅
９    調整片の厚さ
１０  調整片の長さ
１２  連結部
１４  袋体
１６  スペーサー本体の側面
１７  調整片の側面
１８  面ファスナー
２０  パレット
２１  荷物
２２  隙間
２６  空間
【図１】
2015101356.tif 000003
【図２】
2015101356.tif 000004
【図３】
2015101356.tif 000005
【図４】
2015101356.tif 000006
【図５】
2015101356.tif 000007
【図６】
2015101356.tif 000008
【図７】
2015101356.tif 000009
【図８】
2015101356.tif 000010